(57)【要約】【課題】入力される表紙画像のサイズや表紙用紙のサイズにかかわらず、常に表紙用紙の適正な位置に表紙画像を形成し、見栄えのよい冊子表紙を供給することができる画像形成装置を提供する。【解決手段】本身用紙サイズ及び背表紙幅に基づいて設定した表紙画像形成領域に表紙画像を配置する。【選択図】図３
2007190701.tif 000002
【特許請求の範囲】
【請求項１】
表紙用紙に表紙画像を形成するための表紙画像データを取得する表紙画像取得手段と、
前記表紙用紙によりコの字状に覆われる本身用紙のサイズを取得する本身用紙サイズ取得手段と、
背表紙幅を取得する背表紙幅取得手段と、
前記本身用紙サイズ取得手段により取得された本身用紙のサイズ及び前記背表紙幅取得手段により取得された背表紙幅に基づいて、前記表紙画像データに基づく表紙画像の前記表紙用紙上での形成領域である表紙画像形成領域を設定する表紙画像形成領域設定手段と、
前記表紙画像取得手段により取得された表紙画像データに基づき、前記表紙用紙に前記表紙画像を形成する画像形成手段と、
前記表紙画像が前記表紙画像形成領域に形成されるように、前記画像形成手段を制御する制御手段と、
を有することを特徴とする画像形成装置。
【請求項２】
前記表紙画像形成領域は、前記背表紙幅の間隔を隔てて配置された表表紙画像形成領域及び裏表紙画像形成領域からなることを特徴とする請求項１に記載の画像形成装置。
【請求項３】
前記表紙画像形成領域設定手段は、前記表紙用紙が前記本身用紙をコの字状に覆った場合の小口に相当する一端部を基準に前記表表紙画像形成領域及び前記裏表紙画像形成領域を設定することを特徴とする請求項２に記載の画像形成装置。
【請求項４】
前記表表紙画像形成領域及び前記裏表紙画像形成領域のサイズは、前記本身用紙のサイズと同等であることを特徴とする請求項２又は３に記載の画像形成装置。
【請求項５】
前記制御手段は、前記表表紙画像形成領域及び前記裏表紙画像形成領域の中央にそれぞれ表表紙画像及び裏表紙画像が形成されるように、前記画像形成手段を制御することを特徴とする請求項２乃至４のいずれか１項に記載の画像形成装置。
【請求項６】
表紙用紙に表紙画像を形成するための表紙画像データを取得する表紙画像取得ステップと、
前記表紙用紙によりコの字状に覆われる本身用紙のサイズを取得する本身用紙サイズ取得ステップと、
背表紙幅を取得する背表紙幅取得ステップと、
前記本身用紙サイズ取得ステップにより取得された本身用紙サイズ及び前記背表紙幅取得ステップにより取得された背表紙幅に基づいて表紙画像形成領域を設定する表紙画像形成領域設定ステップと、
前記表紙画像取得ステップにより取得された表紙画像を前記表紙画像形成領域設定ステップにより設定された表紙画像形成領域に配置する表紙画像配置ステップと、
をコンピュータに実行させることを特徴とするプログラム。
【発明の詳細な説明】
【技術分野】
【０００１】
本発明は、画像形成装置及びプログラムに関する。
【背景技術】
【０００２】
記録媒体（本身用紙）束をコの字状にくるんで製本するための表紙用紙に表表紙画像及び裏表紙画像を配置する際に、背表紙幅を考慮して配置する画像形成装置が知られている（例えば、特許文献１，２参照）。
【０００３】
特許文献１には、表表紙画像と裏表紙画像との間に背表紙幅分の間隔を設け、表紙用紙の隅部を基準に配置することが開示されている。
【０００４】
特許文献２には、設定された背表紙幅分の背表紙領域を表紙用紙の中央部に設け、当該背表紙領域の両側の表表紙画像形成領域及び裏表紙画像形成領域の中央にそれぞれ表表紙画像及び裏表紙画像を配置することが開示されている。
【特許文献１】特開２０００−３３２９８７号公報
【特許文献２】特開２０００−２６１６５６号公報
【発明の開示】
【発明が解決しようとする課題】
【０００５】
しかしながら、特許文献１においては、表紙用紙の隅部を基準に、背表紙幅分の間隔を設けて表表紙画像及び裏表紙画像が表紙用紙に配置されるので、例えば本身用紙サイズと表裏原稿画像サイズが異なる大きさの場合には、背表紙領域が表紙用紙の中央に配置されず、冊子を形成したときに表表紙画像位置、裏表紙画像位置及び背表紙位置が満足できる位置に配置されないという問題がある。
【０００６】
また、例えば本身用紙のサイズに合わせて表紙用紙を断裁する場合には、特許文献２においては、断裁前の表紙用紙サイズに合わせて表表紙画像形成領域及び裏表紙画像形成領域の中央にそれぞれ表表紙画像及び裏表紙画像が配置されるので、断裁により表表紙画像や裏表紙画像が欠落してしまったり、背表紙位置がずれてしまうという問題がある。
【０００７】
本発明は、以上のような問題に鑑みてなされたものであり、入力される表紙画像のサイズや表紙用紙のサイズにかかわらず、常に表紙用紙の適正な位置に表紙画像を形成し、見栄えのよい冊子表紙を供給することができる画像形成装置を提供することを目的としている。
【課題を解決するための手段】
【０００８】
本発明の画像形成装置は、表紙用紙に表紙画像を形成するための表紙画像データを取得する表紙画像取得手段と、前記表紙用紙によりコの字状に覆われる本身用紙のサイズを取得する本身用紙サイズ取得手段と、背表紙幅を取得する背表紙幅取得手段と、前記本身用紙サイズ取得手段により取得された本身用紙のサイズ及び前記背表紙幅取得手段により取得された背表紙幅に基づいて、前記表紙画像データに基づく表紙画像の前記表紙用紙上での形成領域である表紙画像形成領域を設定する表紙画像形成領域設定手段と、前記表紙画像取得手段により取得された表紙画像データに基づき、前記表紙用紙に前記表紙画像を形成する画像形成手段と、前記表紙画像が前記表紙画像形成領域に形成されるように、前記画像形成手段を制御する制御手段と、を有することを特徴としている。
【０００９】
本発明のプログラムは、表紙用紙に表紙画像を形成するための表紙画像データを取得する表紙画像取得ステップと、前記表紙用紙によりコの字状に覆われる本身用紙のサイズを取得する本身用紙サイズ取得ステップと、背表紙幅を取得する背表紙幅取得ステップと、前記本身用紙サイズ取得ステップにより取得された本身用紙サイズ及び前記背表紙幅取得ステップにより取得された背表紙幅に基づいて表紙画像形成領域を設定する表紙画像形成領域設定ステップと、前記表紙画像取得ステップにより取得された表紙画像を前記表紙画像形成領域設定ステップにより設定された表紙画像形成領域に配置する表紙画像配置ステップと、をコンピュータに実行させることを特徴としている。
【発明の効果】
【００１０】
本発明によれば、本身用紙サイズ及び背表紙幅に基づいて表紙画像が形成される領域を設定し、当該領域に表紙画像を配置するので、入力される表紙画像のサイズや表紙用紙のサイズにかかわらず、常に表紙用紙の適正な位置に表紙画像を形成でき、見栄えのよい冊子表紙を供給することができる。
【発明を実施するための最良の形態】
【００１１】
（システム構成）
図１は、本実施形態に係る画像形成装置の構成を示すブロック図である。
【００１２】
画像形成装置１０は、プログラムに従って画像形成装置１０の各種制御を実行するＣＰＵ１１を中心に、バス１２により、ＲＯＭ１３、ＲＡＭ１４、原稿読取部１５、給紙部１６、画像形成部１７、不揮発性メモリ１８、操作部１９、表示部２０、及び通信部２１が相互に接続されている。
【００１３】
ＲＯＭ１３は、各種プログラムやデータを記憶しており、ＣＰＵ１１がこれらプログラムやデータを利用して画像形成装置１０の制御を実行する。
【００１４】
ＲＡＭ１４は、ＣＰＵ１１によってワークエリアとして利用され、ＣＰＵ１１が制御を実行する際に必要なプログラムやデータを一時的に記憶する。
【００１５】
原稿読取部１５は、原稿を読み取って画像データを生成する。生成された画像データは、画像形成部１７に出力される。
【００１６】
給紙部１６は、表紙用紙を収容する表紙用紙収容部１６１及び本身用紙を収容する本身用紙収容部１６２を有し、画像形成部１７に向けて表紙用紙又は本身用紙を給紙する。
【００１７】
画像形成部１７は、原稿読取部１５から入力される画像データに基づいて本身用紙又は表紙用紙に画像形成を行う。
【００１８】
不揮発性メモリ１８は、表紙用紙収容部１６１に収容されている表紙用紙のサイズ、本身用紙収容部１６２に収容されている本身用紙のサイズ、等を記憶している。
【００１９】
操作部１９は、ユーザにより操作され、背表紙幅の設定、表紙用紙収容部の設定、本身用紙収容部の設定、プリント開始指示、等が入力される。
【００２０】
表示部２０は、各種操作画面、設定画面等を表示する。表示部２０がタッチパネルで構成され、操作部１９を兼ねていてもよい。
【００２１】
通信部２１は、外部機器と通信を行うためのインターフェースであり、パーソナルコンピュータ等から送信されてくる画像データ等を受信する。
【００２２】
（表紙画像形成処理）
図２は、本実施形態に係る表紙画像形成処理を示すフロー図である。一例であり、これに限られない。この処理は、ＲＯＭ１３に記憶されるプログラムに基づいて、ＣＰＵ１１が処理を実行することにより行われる。
【００２３】
まず、ＣＰＵ１１は、背表紙幅入力画面を表示部２０に表示する。これに応答して、ユーザが操作部１９により背表紙幅を入力することにより、ＣＰＵ１１に背表紙幅が入力される（ステップＳ１）。
【００２４】
次に、ＣＰＵ１１は、表紙用紙選択画面を表示部２０に表示する。これに応答して、ユーザが操作部１９により表紙用紙が収容されている用紙収容部を選択することにより、ＣＰＵ１１に選択された表紙用紙収容部情報が入力される（ステップＳ２）。
【００２５】
次に、ＣＰＵ１１は、本身用紙選択画面を表示部２０に表示する。これに応答して、ユーザが操作部１９により本身用紙が収容されている用紙収容部を選択することにより、ＣＰＵ１１に選択された本身用紙収容部情報が入力される（ステップＳ３）。
【００２６】
次に、ユーザが原稿読取部１５に原稿をセットし、操作部１９によりプリント開始指示を行うと、ＣＰＵ１１は、原稿読取部１５を駆動し原稿画像を入力させる（ステップＳ４）。入力された原稿画像は、ＲＡＭ１４に記憶される。ここで、原稿は、例えば、表表紙原稿、本身原稿、裏表紙原稿の順に重ねて原稿読取部１５にセットされ、原稿読取部１５により当該順番に読み取られ、原稿画像としてＣＰＵ１１に入力される。
【００２７】
次に、ＣＰＵ１１は、ステップＳ１〜Ｓ４において入力された各情報を基に表紙画像の位置を算出する（ステップＳ５）。詳細については、後述する。
【００２８】
次に、ＣＰＵ１１は、ステップＳ５において算出された画像位置に入力画像を配置し、表表紙画像及び裏表紙画像からなる表紙画像を合成する（ステップＳ６）。合成された表紙画像は、ページメモリとして機能するＲＡＭ１４に記憶される。
【００２９】
次に、ＣＰＵ１１は、給紙部１６に対してステップＳ２において選択された表紙用紙収容部から表紙用紙を給紙するよう要求し、また画像形成部１７に対して給紙された表紙用紙にステップＳ６において合成された表紙画像を形成するよう要求する（ステップＳ７）。これにより、表紙用紙に表紙画像が形成される。
【００３０】
次に、ＣＰＵ１１は、給紙部１６に対してステップＳ３において選択された本身用紙収容部から本身用紙を給紙するよう要求し、また画像形成部１７に対して給紙された本身用紙に本身画像を形成するよう要求する（ステップＳ８）。これにより、本身用紙に本身画像が形成される。
【００３１】
（表紙画像位置算出処理）
図３は、図２のステップＳ５における表紙画像位置算出処理を示すフロー図である。一例であり、これに限られない。この処理についても、ＲＯＭ１３に記憶されるプログラムに基づいて、ＣＰＵ１１が処理を実行することにより行われる。
【００３２】
まず、ＣＰＵ１１は、図２のステップＳ３で選択入力された本身用紙収容部情報から本身用紙収容部１６２を特定し、特定した本身用紙収容部１６２に対応する本身用紙サイズを不揮発性メモリ１８から読み出し取得する（ステップＳ５１）。この本身用紙サイズが、表表紙画像形成領域及び裏表紙画像形成領域のサイズとなる。
【００３３】
次に、ＣＰＵ１１は、図２のステップＳ１で選択入力された背表紙幅を取得する（ステップＳ５２）。
【００３４】
次に、ＣＰＵ１１は、ステップＳ５１で取得した本身用紙サイズ及びステップＳ５２で取得した背表紙幅から、図４に示すように、背表紙領域ｃを挟んで表表紙画像形成領域ａ及び裏表紙画像形成領域ｂが位置するようにレイアウトを行う（ステップＳ５３）。図４においては、本身用紙のサイズは（Ｘｂ，Ｙｂ）、背表紙幅はＹ４として示している。このようなサイズでレイアウトしておけば、冊子を形成したときに背表紙位置がずれることがないとともに、表紙画像が表紙用紙の適正な位置に形成されることになる。
【００３５】
次に、ＣＰＵ１１は、レイアウトされた表表紙画像形成領域ａ及び裏表紙画像形成領域ｂに、図２のステップＳ４で入力された表表紙画像及び裏表紙画像をそれぞれ面付けする（ステップＳ５４）。例えば、図５に示すように、表表紙画像Ａ及び裏表紙画像Ｂをそれぞれ表表紙画像形成領域ａ及び裏表紙画像形成領域ｂの中央に面付けする。このように面付けすれば、表紙の中央に表紙画像が位置し見栄えが良い。図５においては、表表紙画像Ａ及び裏表紙画像Ｂの画像サイズ（Ｘ１，Ｙ１）が本身用紙サイズ（Ｘｂ，Ｙｂ）よりも小さい場合を示している。図５においては表表紙画像Ａ及び裏表紙画像Ｂをそれぞれ表表紙画像形成領域ａ及び裏表紙画像形成領域ｂの中央に面付けしたが、これに限られるものではなく、片側に寄せて面付けしても構わない。
【００３６】
次に、ＣＰＵ１１は、図２のステップＳ２で選択入力された表紙用紙収容部情報から表紙用紙収容部１６１を特定し、特定した表紙用紙収容部１６１に対応する表紙用紙サイズを不揮発性メモリ１８から読み出し取得する（ステップＳ５５）。
【００３７】
次に、ＣＰＵ１１は、ステップＳ５４で面付けした表紙画像をステップＳ５５で取得した表紙用紙サイズの領域のどの位置に配置するかを決定する（ステップＳ５６）。例えば、図６に示すように、面付け表紙画像を表紙用紙サイズ領域ｈの片側（冊子の小口に相当する一端部）に寄せて配置する。図６においては、面付け表紙画像サイズ（Ｘｂ，２Ｙｂ＋Ｙ４）が表紙用紙サイズ（Ｘａ，Ｙａ）よりも小さい場合を示している。断裁時には、通常、図中の位置で断裁されることになるので、表表紙画像形成領域ａ又は裏表紙画像形成領域ｂの部分が断裁されて表紙画像が欠落することがない。
【００３８】
以上のように、本実施形態によれば、本身用紙サイズ及び背表紙幅に基づいて表紙画像が形成される領域を設定し、当該領域に表紙画像を配置するので、冊子を形成したときに背表紙位置がずれることがないとともに、表紙画像が表紙用紙の適正な位置に形成される。また、断裁時に表表紙画像形成領域ａ又は裏表紙画像形成領域ｂの部分が断裁されて表紙画像が欠落することがない。
【００３９】
本実施形態では、図５に示すように表表紙画像Ａ及び裏表紙画像Ｂの画像サイズ（Ｘ１，Ｙ１）が本身用紙サイズ（Ｘｂ，Ｙｂ）よりも小さい場合を示したが、表表紙画像Ａ及び裏表紙画像Ｂの画像サイズ（Ｘ１，Ｙ１）が本身用紙サイズ（Ｘｂ，Ｙｂ）よりも大きい場合にも適用可能である。図５と同様に、表表紙画像Ａ及び裏表紙画像Ｂをそれぞれ表表紙画像形成領域ａ及び裏表紙画像形成領域ｂの中央に面付けすればよい。また、表表紙画像Ａ及び裏表紙画像Ｂができるだけ表表紙画像形成領域ａ及び裏表紙画像形成領域ｂに含まれるように配置してもよい。
【００４０】
本実施形態では、背表紙領域には画像形成を行わなかったが、背表紙用の画像を入力し、背表紙領域に画像形成を行ってもよい。
【００４１】
本実施形態では、原稿読取部１５から画像入力を行ったが、通信部２１を介してパーソナルコンピュータ等の外部機器から画像入力を行ってもよい。
【００４２】
また、本実施形態では、画像形成装置１０に設けられたプログラムに基づいて表紙画像位置の算出を行ったが、パーソナルコンピュータ等の外部機器で画像データを作成し、当該外部機器にインストールされたプリンタドライバ等のプログラムに基づいて、表紙画像位置の算出を行ってもよい。
【図面の簡単な説明】
【００４３】
【図１】本実施形態に係る画像形成装置の構成を示すブロック図である。
【図２】本実施形態に係る表紙画像形成処理を示すフロー図である。
【図３】本実施形態に係る画像位置算出処理を示すフロー図である。
【図４】表表紙画像形成領域Ａ、裏表紙画像形成領域Ｂ及び背表紙領域Ｃのレイアウトを示す図である。
【図５】表紙画像の面付けの一例を示す図である。
【図６】面付け表紙画像の表紙用紙への配置の一例を示す図である。
【符号の説明】
【００４４】
１０  画像形成装置
１１  ＣＰＵ
１３  ＲＯＭ
１５  原稿読取部
１９  操作部
【図１】
2007190701.tif 000003
【図２】
2007190701.tif 000004
【図３】
2007190701.tif 000005
【図４】
2007190701.tif 000006
【図５】
2007190701.tif 000007
【図６】
2007190701.tif 000008